(57)【要約】【課題】  転倒を防止することができるレーザー墨出し器を提供する。【解決手段】  墨出し用のレーザー光を出力する本体部１と、本体部１を支持して作業面に設置される支持部２とを備え、支持部２は、それぞれ本体部１に結合した結合部３１と作業面に接触する接地部３２とを有する３本の支持脚３と、支持脚３の間であって作業面に交差する方向から見て支持脚３の接地部３２同士を結ぶ線分が囲む形状の外側に設けられ全ての支持脚３が接地した状態では作業面には接触せず且つ全ての支持脚３が接地した状態から支持部２が転倒しない程度に傾いたときに作業面に当接する転倒防止部４とを有する。転倒防止部４が作業面に当接することにより、転倒を防止することができる。【選択図】図１
2005098889.tif 000002
【特許請求の範囲】
【請求項１】
墨出し用のレーザー光を出力する本体部と、本体部を支持して作業面に設置される支持部とを備え、支持部は、それぞれ本体部に結合した結合部と作業面に接触する接地部とを有する少なくとも３本の支持脚と、支持脚の間であって作業面に交差する方向から見て支持脚の接地部同士を結ぶ線分が囲む形状の外側に設けられ全ての支持脚が接地した状態では作業面には接触せず且つ全ての支持脚が接地した状態から支持部が転倒しない程度に傾いたときに作業面に当接する転倒防止部とを有することを特徴とするレーザー墨出し器。
【請求項２】
転倒防止部を、全ての支持脚を囲む筒状に形成したことを特徴とする請求項１記載のレーザー墨出し器。
【請求項３】
本体部は地墨出し用のレーザー光を作業面の支持脚に囲まれた部位に照射するものであって、転倒防止部には、地墨出し用のレーザー光による光点を視認可能とする窓部を設けたことを特徴とする請求項２記載のレーザー墨出し器。
【請求項４】
各支持脚はそれぞれ結合部と接地部との間の長さ寸法を手操作によって変更するための長さ調整部を有し、長さ調整部の手操作される操作部を手操作可能な程度に露出させる切り欠きを転倒防止部に設けたことを特徴とする請求項２記載のレーザー墨出し器。
【発明の詳細な説明】
【技術分野】
【０００１】
本発明は、床面などの作業面に設置されて壁面や天井などに墨出し用のレーザー光を照射するレーザー墨出し器に関するものである。
【背景技術】
【０００２】
従来から、壁面や天井などに墨出し用のレーザー光を照射するレーザー墨出し器が提供され、建築工事や内装工事などに用いられている。
【０００３】
この種のレーザー墨出し器は、一般に、レーザー光を照射する本体部と、作業面に設置され本体部を支持する支持部とを有する。支持部は例えばそれぞれ本体部に結合した連結部と作業面に接触する接地部とを有する複数本の支持脚で支持される。さらに、支持脚毎に連結部と接地部との間の長さ寸法を変更可能としたレーザー墨出し器も提供されている。この種のレーザー墨出し器は、作業面に凹凸がある場合にも、全ての支持脚の接地部が作業面に接触するように各支持脚の長さ寸法を調整することにより、支持部の姿勢を安定させることができる。この場合、支持脚の本数を可能な限り少なくして調整を容易とするために、支持脚は３本とされることが多い（例えば、特許文献１参照）。
【特許文献１】特開平１０−８９９６２号公報（第３−５頁、第１図）
【発明の開示】
【発明が解決しようとする課題】
【０００４】
しかし、従来の墨出し器は、例えば作業者が誤って接触した場合など、支持脚のうちの１本が作業面から離れただけで、支持部が２点で支えられる形になり姿勢が不安定になってそのまま転倒してしまう可能性が高く、この転倒の際の衝撃が故障の原因となることがあった。
【０００５】
本発明は、上記事由に鑑みてなされたものであり、その目的は、転倒を防止することができるレーザー墨出し器を提供することにある。
【課題を解決するための手段】
【０００６】
請求項１の発明は、墨出し用のレーザー光を出力する本体部と、本体部を支持して作業面に設置される支持部とを備え、支持部は、それぞれ本体部に結合した結合部と作業面に接触する接地部とを有する少なくとも３本の支持脚と、支持脚の間であって作業面に交差する方向から見て支持脚の接地部同士を結ぶ線分が囲む形状の外側に設けられ全ての支持脚が接地した状態では作業面には接触せず且つ全ての支持脚が接地した状態から支持部が転倒しない程度に傾いたときに作業面に当接する転倒防止部とを有することを特徴とする。
【０００７】
この構成によれば、転倒防止部が作業面に当接することによって転倒が防止される。
【０００８】
請求項２の発明は、請求項１の発明において、転倒防止部を、全ての支持脚を囲む筒状に形成したことを特徴とする。
【０００９】
この構成によれば、転倒防止部を支持脚の周囲の一部のみに設ける場合に比べてより確実に転倒を防止することができる。
【００１０】
請求項３の発明は、請求項２の発明において、本体部は地墨出し用のレーザー光を作業面の支持脚に囲まれた部位に照射するものであって、転倒防止部には、地墨出し用のレーザー光による光点を視認可能とする窓部を設けたことを特徴とする。
【００１１】
この構成によれば、地墨出し用のレーザー光による光点を窓部を介して視認することができるから、地墨出しが容易となる。
【００１２】
請求項４の発明は、請求項２の発明において、各支持脚はそれぞれ結合部と接地部との間の長さ寸法を手操作によって変更するための長さ調整部を有し、長さ調整部の手操作される操作部を手操作可能な程度に露出させる切り欠きを転倒防止部に設けたことを特徴とする。
【００１３】
この構成によれば、各支持脚の長さ寸法がそれぞれ変更可能となるから、作業面に凹凸がある場合にも対応可能となる。また、切り欠きを設けたことにより、長さ調整部の操作が容易になっている。
【発明の効果】
【００１４】
本発明によれば、全ての支持脚が接地した状態から支持部が転倒しない程度に傾いたときに作業面に当接する転倒防止部を有するので、転倒防止部が作業面に当接することによって転倒が防止される。
【発明を実施するための最良の形態】
【００１５】
以下、本発明を実施するための最良の形態について、図面を参照しながら説明する。
【００１６】
本実施形態は、図１乃至図３に示すように、墨出し用のレーザーを照射する本体部１と、作業面に設置され本体部１を支持する支持部２とを備える。本体部１は、例えばジンバル構造を介して支持部２に支持されることにより、支持部２の向きに関わらず水平面に対して一定の姿勢に維持されている。また、本体部１は、水平面内で支持部２に対して回転可能となっている。以下、上下は図１を基準として説明する。
【００１７】
具体的に説明すると、本体部１は、墨出し用のレーザー光を、上部に設けられた天井照射部１１、それぞれ側面に設けられた鉛直照射部１２及び水平照射部１３、下部に設けられた作業面照射部１４の計４箇所からそれぞれ出射する。天井照射部１１はレーザー光を天井面へ照射し、鉛直照射部１２は鉛直方向に長い線状の像を形成するレーザー光を壁面へ照射し、水平照射部１３は水平方向に長く鉛直照射部１２のレーザー光による像に交差する線状の像を形成するレーザー光を壁面へ照射し、作業面照射部１４は地墨出し用の光点を形成するレーザー光を作業面へ照射する。
【００１８】
支持部２は、本体部１に機械的に結合した結合部３１と作業面に接触する接地部３２とをそれぞれ有する３本の支持脚３と、下端に近い位置ほど内径の大きなコーン形状に形成され全ての支持脚３を囲む転倒防止部４とを有する。転倒防止部４の支持脚３の間となる各部には、それぞれ地墨出し部のレーザー光によって作業面上に形成された光点を視認可能とする窓部としての貫通穴４１を貫設してある。
【００１９】
結合部３１は、開口が下方へ向けられた有底筒状に形成されている。また、支持脚３は、結合部３１の内周面に沿って可動なシャフト部３３を有する。接地部３２は、一端面の中央部がシャフト部３３の先端に結合した円柱部３２ａと、円柱部３２ａの他端面に突設された円錐形状の突部３２ｂとからなる。結合部３１の内周面とシャフト部３３の外周面とには互いに螺合するねじ溝（図示せず）が設けられている。接地部３２を結合部３１に対して円柱部３２ａの周方向に回転させれば、結合部３１からのシャフト部３３の突出寸法が変化することにより、結合部３１と接地部３２との間の長さ寸法が変化する。この構成により、例えば作業面に凹凸がある場合にも、結合部３１と接地部３２との間の長さ寸法を変更して対応することができる。つまり、結合部３１とシャフト部３３とに設けられたねじ溝と接地部３２とが長さ調整部であり、接地部３２が操作部である。さらに、接地部３２の円柱部３２ａの側面には、回転操作を容易とするために、それぞれ円柱部３２ａの軸方向に長い複数のすべり止め突起３２ｃを円柱部３２ａの周方向に並べて設けている。なお、図３及び図４ではすべり止め突起３２ｃの図示を省略している。
【００２０】
また、転倒防止部４には、図４に示すようにシャフト部３３が結合部３１に完全に収納された状態で結合部３１の円柱部３１ａを軸方向での全長に亙って露出させる切り欠き４２を設けている。
【００２１】
ここで、図３に示すように作業面に交差する方向から見て、転倒防止部４の支持脚３の間に位置する部位は、支持脚３の接地部３２を結ぶ線分で囲まれる範囲の外側に位置する。そして、全ての支持脚３が接地した状態から本実施形態が傾いたときには、本実施形態が転倒する前に転倒防止部４が作業面に当接するようになっている。
【００２２】
上記構成によれば、支持脚３の本数を可能な限り少ない３本として支持脚３の長さ寸法の調整を容易としながらも、支持脚３のいずれか１本が作業面から離れたときには、接地した支持脚３の接地部３１を結ぶ線を挟んで反対側の転倒防止部４が作業面に当接することによって、支持部２を３点で支持し、転倒を防止することができる。また、転倒防止部４を全ての支持脚３２を囲む形状に形成したので、転倒防止部４を支持脚３２の周囲の一部のみに設ける場合に比べてより確実に転倒を防止することができる。
【図面の簡単な説明】
【００２３】
【図１】本発明の実施形態を示す斜視図である。
【図２】同上を示す図であり、（ａ）は正面図、（ｂ）は右側面図である。
【図３】同上を示す図であり、（ａ）は平面図、（ｂ）は下面図である。
【図４】同上のシャフト部が連結部に完全に収納された状態を示す図であり、（ａ）は正面図、（ｂ）は右側面図である。
【符号の説明】
【００２４】
１  本体部
２  支持部
３  支持脚
４  転倒防止部
３１  連結部
３２  接地部
４１  貫通穴
４２  切り欠き
【図１】
2005098889.tif 000003
【図２】
2005098889.tif 000004
【図３】
2005098889.tif 000005
【図４】
2005098889.tif 000006